(57)【要約】  この仕分け機は、郵便物を縁を揃えて置くのに適したアンスタッカ（１０）と、前記郵便物の宛先を認識する宛先認識手段（２０、２５）と、郵便物を挟むことによって搬送するための搬送ゾーン（２、３、４）であって、アンスタッカから延びる取り出しゾーン（１）、およびアンスタッカに隣接する上流側仕分け出口（Ｓ１）から下流側仕分け出口（ＳＮ）まで分散された複数の仕分け出口（Ｓ１−ＳＮ）を有する仕分けゾーン（３）から構成される、搬送ゾーンとを備える。本発明によれば、前記機械は、さらに、下流側仕分け出口（ＳＮ）と上流側仕分け出口（Ｓ１）とを相互接続する再循環ゾーン（４）であって、取り出しゾーン（１）と共働してアンスタッカと上流側仕分け出口の間に位置する合流点（Ｃ）を画定する、再循環ゾーンを備える。
2013534183.tif 000002
【特許請求の範囲】
【請求項１】
郵便物（Ｅ１−Ｅ３）を縁を揃えて置くのに適したアンスタッカ（１０；１１０）と、前記郵便物の宛先を認識する宛先認識手段（２０、２５）と、郵便物を挟むことによって搬送するための搬送ゾーン（２、３、４）であって、アンスタッカから延びる取り出しゾーン（１）、および、アンスタッカに隣接する上流側仕分け出口（Ｓ１）から下流側仕分け出口（ＳＮ）まで分散された複数の仕分け出口（Ｓ１−ＳＮ）を有する仕分けゾーン（３）から構成される、搬送ゾーンとを備える郵便物仕分け機であって、前記機械が、さらに、下流側仕分け出口（ＳＮ）と上流側仕分け出口（Ｓ１）とを相互接続する再循環ゾーン（４）であって、取り出しゾーン（１）と共働してアンスタッカと上流側仕分け出口との間に位置する合流点（Ｃ）を画定する再循環ゾーンを備え、前記機械が、さらに、第１に、アンスタッカ（１０）と合流点（Ｃ）の間を進行する「取り出された」郵便物の移動、および第２に、再循環ゾーン（４）内で進行する「再循環された」郵便物の移動を同期化するのに適した同期化手段（Ｂ１、Ｂ２、１５、ＧＭＤ１、ＧＭＤ２）であって、少なくとも１つの再循環された郵便物の存在を検出する検出手段（Ｂ１、Ｂ２）と、検出手段によって伝達された情報に応答してアンスタッカ（１０）を作動するのに適した制御手段（１５）とを備える、同期化手段を備えることを特徴とする、郵便物仕分け機。
【請求項２】
少なくとも１つの再循環された郵便物の存在を検出する検出手段が、再循環ゾーン（４）内に配設された２つの存在センサ（Ｂ１、Ｂ２）を備える、請求項１に記載の機械。
【請求項３】
アンスタッカ（１１０）には、２つの連続する郵便物間の空隙を変更するのに適したキャッチアップシステム（１１２）が設けられる、請求項１または請求項２に記載の機械。
【請求項４】
同期化手段（Ｂ１、Ｂ２、１５、ＧＭＤ１、ＧＭＤ２）が、さらに、再循環ゾーン（４）内および随意により仕分けゾーン（３）内で進行する少なくとも１つの郵便物の速度を変更する速度変更手段（ＧＭＤ１、ＧＤＭ２）を備える、請求項２または請求項３に記載の機械。
【請求項５】
速度変更手段が、再循環ゾーン（４）内に置かれた少なくとも第１の速度変更部材（ＧＭＤ１）、および随意により、仕分け出口の２つの組間の仕分けゾーン（３）内に置かれた第２の速度変更部材（ＧＭＤ２）を備える、請求項４に記載の機械。
【請求項６】
第１の速度変更部材（ＧＭＤ１）が、下流側の存在センサ（Ｂ２）と合流点（Ｃ）の間に置かれる、請求項２および請求項５に記載の機械。
【請求項７】
仕分けゾーン（３）が、Ｕターン部（３２）によって相互接続された２本の真っすぐな枝部（３１、３３）を有する、請求項１から請求項６のいずれか一項に記載の機械。
【請求項８】
仕分けゾーン（３）が、４０ｍを上回る長さ（Ｌ３１＋Ｌ３２＋Ｌ３３）と、１００を上回る複数の仕分け出口（Ｓ１−ＳＮ）とを有する、請求項７に記載の機械。
【請求項９】
再循環ゾーン（４）の近傍では、搬送ゾーンが、２．５ｍを下回る長さ（Ｌ４）を有するＵターン部を実質的に形成する、請求項１から８のいずれか一項に記載の機械。
【請求項１０】
仕分けゾーン（３）の長さ（Ｌ３１＋Ｌ３２＋Ｌ３３）と再循環ゾーン（４）の長さ（Ｌ４）との間の比が、１を大きく上回り、特に１０を上回り、より具体的には２０を上回る、請求項９に記載の機械。
【請求項１１】
請求項１から１０のいずれか一項による仕分け機械を用いるための方法であって、郵便物がアンスタッカ（１０；１１０）を用いて取り出され、再循環手段（２０、２５）が、前記郵便物の宛先を認識するようにして使用され、宛先が正しく認識された郵便物の少なくとも一部が、対応する仕分け出口に向かって方向付けられ、少なくとも、宛先が正しく認識されなかった郵便物が、再循環ゾーン（４）内を進行させられ、それにより、仕分けゾーン（３）内に送り戻される、方法。
【請求項１２】
請求項２から１０のいずれか一項に記載の仕分け機を用いるための方法であって、少なくとも１つの再循環された郵便物の存在が、検出手段（Ｂ１、Ｂ２）によって検出され、取り出された郵便物および再循環された郵便物のそれぞれの移動を同期化するように制御手段（１５）を用いることによってスタッカ（１０）を動作させる、請求項１１に記載の方法。
【請求項１３】
請求項２から１０のいずれか一項に記載の仕分け機を用いるための方法であって、郵便物が、一定の空隙を有して取り出され、取り出しは、少なくとも１つの再循環された郵便物が２つの存在センサ（Ｂ１、Ｂ２）の少なくとも１つを覆う限り停止される、請求項１１または請求項１２に記載の方法。
【請求項１４】
請求項３から１０のいずれか一項に記載の仕分け機を用いる方法であって、キャッチアップシステム（１１２）が設けられたアンスタッカ（１１０）が使用され、２つの存在センサ（Ｂ１、Ｂ２）が、距離
Ｄ´（１−２）＝（２´Ｇｎ＋Ｌｍａｘ−Δｄ）を置いて離間され、
式中、Ｇｎは２つの郵便物の間の公称空隙に相当し、Ｌｍａｘは、郵便物の最大長さに相当し、Δｄは、第１に、アンスタッカにおいて停止された郵便物を再開始するのにかかる時間の間、搬送速度で進行する再循環された郵便物によって進められる距離と、第２に、アンスタッカにおいて停止された郵便物を再開始するための距離との間の差である、請求項１１または請求項１２に記載の方法。
【請求項１５】
下流側の取り出された郵便物（Ｅ１）の後縁（ＡＲ１）と上流側の再循環された郵便物（Ｅ３）の前縁（ＡＶ３）との間の空隙（ｄ（１−３））が特定され、特定された空隙が理論上の最小空隙（ｄｓ（１−３））を上回る場合、中間の取り出された郵便物（Ｅ２）が、前記下流側の取り出された郵便物と前記上流側の再循環された郵便物との間に間置される、請求項１から１４のいずれか一項に記載の方法。
【請求項１６】
請求項３および４に記載の仕分け機を用いるための方法であって、再循環された郵便物（Ｅ３）が、２つの上流側の取り出された郵便物と下流側の取り出された郵便物と（Ｅ２とＥ１）の間に間置され、速度変更手段（ＧＭＤ１）が、再循環された郵便物を加速するために使用され、それにより、再循環された郵便物は、理論上の最小空隙（Ｇｍｉｎ（１−３）にできるだけ近い空隙だけ下流側郵便物から離され、またキャッチアップシステム（１１２）が使用され、それにより、上流側郵便物（Ｅ２）が、理論上の最小空隙（Ｇｍｉｎ（３−２））にできるだけ近い空隙だけ再循環された郵便物（Ｅ３）から離される、請求項１１または請求項１２に記載の方法。
【請求項１７】
請求項３および請求項４に記載の仕分け機を用いるための方法であって、キャッチアップシステム（１１２）が設けられたアンスタッカ（１１０）が使用され、下流側の取り出された郵便物（Ｅ１）の後縁（ＡＲ１）と上流側の再循環された郵便物（Ｅ３）の前縁（ＡＶ３）との間の実際の空隙が決定され、中間の取り出された郵便物を間置することを可能にする理論上の最小空隙（ｄ´ｓ（１−３）が特定され、前記実際の空隙と前記最小空隙の間の前縁の前進（δ）が特定され、前記前進が、速度変更手段（ＧＭＤ１）によって許容される最大遅延値（Ｄｒｅｔ）を下回る場合、中間の取り出された郵便物（Ｅ２）は、前記下流側の取り出された郵便物と前記上流側の再循環された郵便物との間に間置され、次いで、速度変更手段が、前記再循環された郵便物（Ｅ３）を、その前縁の前進に相当する値だけ遅延させるために使用される、請求項１１または請求項１２に記載の方法。
【請求項１８】
理論上の最小空隙が、
ｄｓ（１−３）＝Ｌ２＋Ｇｍｉｎ（１−２）＋Ｇｍｉｎ（２−３）に相当し、
式中、
Ｌ２は中間郵便物の長さであり、
Ｇｍｉｎ（１−２）およびＧｍｉｎ（２−３）は、第１に、下流側郵便物の後縁と中間郵便物の前縁との間、第２に、中間郵便物の後縁と上流側郵便物の前縁との間に適合される最小空隙である、請求項１５または請求項１７に記載の方法。
【請求項１９】
請求項３および４に記載の仕分け機を用いるための方法であって、速度変更手段が、再循環された郵便物を低速にするためのみに使用され、２つの存在センサが、距離
Ｄ´（１−２）＝（２×Ｇｎ＋Ｌｍａｘ−Δｄ−Ｄｒｅｔ）を置いて離間され、
式中、
Ｇｎは２つの郵便物間の公称空隙に相当し、
Ｌｍａｘは、郵便物の最大長さに相当し、
Δｄは、第１に、アンスタッカにおいて停止された郵便物を再開始するのにかかる時間の間、搬送速度で進行する再循環された郵便物によって進められる距離と、第２に、アンスタッカにおいて停止された郵便物を再開始するための距離との間の差であり、Ｄｒｅｔは、速度変更手段によって許容される最大遅延距離である、請求項１１または請求項１２に記載の方法。
【請求項２０】
請求項５から１０のいずれか一項に記載の仕分け機を用いるための方法であって、第２の速度変更手段（ＧＭＤ２）から上流側では、再循環ゾーン（４）を通り抜けるべき２つの連続する郵便物（Ｅ´２、Ｅ´３）が特定され、２つの連続する郵便物に隣接する少なくとも１つの隣接する郵便物（Ｅ´４）がすでに取り出されたとき、第２の速度変更部材（ＧＭＤ２）が、２つの連続する郵便物を離間させるために使用される、請求項１１から請求項１９のいずれか一項に記載の方法。
【発明の詳細な説明】
【技術分野】
【０００１】
本発明は、挟み込み搬送装置手段を含む郵便物仕分け機およびそのような機械を用いる方法に関する。本発明は、より詳細には、大判物品すなわち「大判扁平郵便物」および書簡の両方を仕分けするのに適したそのような郵便物仕分け機に関する。本発明はまた、前記仕分け機を用いる方法にも関する。
【背景技術】
【０００２】
郵便分野では、郵便物は、その寸法（高さ、長さ、および厚さ）およびその重量に応じてさまざまな異なるタイプに分類される。郵便物のさまざまな分類は、ＩＳＯ２６９規格において定義される。たとえば、Ａ４判またはＡ５判の紙を含むことができる封筒は、それぞれＣ４判またはＣ５判を有する書簡である。Ｃ４判の封筒は、２２９ミリメートル（ｍｍ）の幅および３２４ｍｍの高さを有する。Ｃ５判の封筒は、１６２ｍｍの高さおよび２２９ｍｍの幅を有する。
【０００３】
現在、機械によって自動的に仕分けされ得る郵便物の領域は、８ｍｍ未満の厚さおよび１００グラム（ｇ）を上回らない重量のＣ５判までの書簡から、Ｃ４判以上の書簡よりさらに大きくなり得、３２ｍｍまでになり得る厚さおよび２キログラム（ｋｇ）までになり得る重量の大判扁平物品すなわち「大判扁平郵便物」までを主に含む。
【０００４】
一般に、現在、これら２タイプの郵便物、すなわち書簡または大判扁平郵便物それぞれ１つの専用の郵便物仕分け機、さらに書簡と大判扁平郵便物の両方を処理することができる郵便物仕分け機も存在している。
【０００５】
そのような郵便物仕分け機は、従来、郵便物を連続的に縁を揃えて置くためのアンスタッカを有する送り出し入口と、郵便物上の宛先を認識するための認識手段と、認識された宛先に応じて郵便物を仕分け出口に方向付ける搬送装置とを備える。従来通り、用語「宛先」は、これを特定する目的で郵便物の表面に存在する、文字および／または数字および／または他の記号の形態のあらゆる記入物を示す。
【０００６】
本発明は、より具体的には、郵便物が、たいていはベルトである２つの搬送装置部材間に挟まれることによって移動させられる搬送装置システムに適用する。参考までに、そのような搬送は、箱を用いて行われることもあるが、これは本発明では適用しないことが想起される。
【０００７】
画像符号化を有する郵便物仕分け機では、郵便物は光学取得手段を通り過ぎ、この手段は、一般に、宛先情報を有する各郵便物のデジタル画像を撮るカメラによって構成される。デジタル画像は、光学式文字認識（ＯＣＲ）および／または画像符号化システム（ＶＣＳ）を用いて自動宛先評価システム内で処理される。
【０００８】
そのような評価手段に関連付けられたそのような取得手段は、本発明の意味において、宛先認識手段を形成する。郵便物が有する宛先が十分に認識され得ると、前記郵便物は、機械の対応する仕分け出口に向かって方向付けられる。
【０００９】
従来、十分に認識され得ない宛先を有する郵便物を処理するために、随意により組み合わせられてもよい２つの解決策を使用することが可能である。
【００１０】
第１には、遅延ラインを用いることによって「オンライン」画像符号化を実施することが可能である。そのような状況では、仕分け機は、取得用カメラと仕分けゾーン自体の開始部との間に予備搬送ゾーンを組み込む。郵便物がそのようなラインに沿って進行するのにかけられた余分の通過時間により、上流側で認識されなかった郵便物を処理することが可能になる。
【００１１】
残念ながら、この第１の解決策は、遅延ラインによって占有される広い床面積に最初に関連する特定の欠点を抱えている。この欠点は、あらゆる詰まりを取り除くために、また、ライン上で定期的な保守作業を行うためにラインにアクセスできることが必要であるので、より一層深刻になる。
【００１２】
加えて、前記遅延ラインは、これに沿って進行する郵便物の遅れを生じさせる傾向があり、それによって不良品または詰まりを生じさせるキャッチアップを必要とする。この現象は、特に、さまざまなタイプの郵便物、たとえばハガキおよび紙封筒などが有するそれぞれの摩擦係数間の違いによるものである。これは、厚さ、サイズ、および材料のバリエーションが非常に多い広範囲の郵便物には妨害的なものである。
【００１３】
加えて、その床面積すなわち「設置面積」を低減するために、遅延ラインは、しばしば非常にきつい曲線をたどる傾向がある。これは、郵便物に損傷を与える可能性があり、さらには、特に郵便物が大判サイズおよび／またはかなり強張ったものである場合、そのような特定のタイプの郵便物を通すことさえも不可能にし得る。
【００１４】
最後に、郵便物のすべてがその遅延ラインをたどるが、一般に、ごく一部分だけが、正しく認識されるために、余分の時間を必要とする。言い換えれば、郵便物の大部分は、その通過時間が不必要に増大される。
【００１５】
上記で提示されたオンライン画像符号化の代替策である解決策は、「オフライン」画像符号化である。オフライン画像符号化では、認識されなかった郵便物が、識別コードもしくはＩＤタグ（時間スタンプ）を用いて物理的に、または本出願人によって開発された（Ｖ−Ｉｄ）（ＴＭ）方法を用いて仮想的に標識される。
【００１６】
次いで、そのような郵便物は、一時的に保管される目的で、その郵便物特定の専用の仕分け出口を介して引き抜かれる。次いで、これらは、同じ仕分け機に送り戻され、またはその後の処理のために別の仕分け機に送られる。
【００１７】
残念なことに、この第２の解決策もまた、それ特有の欠点を抱えている。例として、これは、郵便物を一緒にグループ化し保管することを必要とし、これは、少なくとも１つの特有の仕分け出口を用意し、床面積を占有することを伴う。
【００１８】
加えて、郵便物が第２の仕分けパスにかけられる場合、これらは、特に、必然的に損傷を与える動作を構成する追加の取り出しにかけられる。したがって、これは二重送り出し、すなわち、２つの郵便物が一団となり、単独ではなく一緒に通り抜けることを引き起こす恐れがあり、または郵便物に損傷を引き起こす恐れがある。加えて、前記第２の仕分けパスは追加の動作を伴う。
【００１９】
米国特許出願公開第２００６／００３７８８８号明細書は、郵便物を取り出すための郵便物アンスタッカと、前記郵便物の宛先を認識するための認識手段と、前記郵便物を搬送するための搬送ゾーンであって、主ループおよび短縮ループを有し、各郵便物を、主ループの周りをすべて進む必要なく、仕分けされるべき仕分け出口に向かって方向付けることを可能にする搬送ゾーンとを含む、郵便物仕分け機を説明している。残念なことに、この郵便物仕分け機は、最初のパス中にすべての認識を達成することを可能にしない。
【先行技術文献】
【特許文献】
【００２０】
【特許文献１】米国特許出願公開第２００６／００３７８８８号明細書
【特許文献２】仏国特許第２７９７４３７号明細書
【発明の概要】
【発明が解決しようとする課題】
【００２１】
本発明の目的は、これらのさまざまな欠点を是正することである。本発明の特定の目的は、小さい床面積すなわち「設置面積」を有する一方で、認識されなかった郵便物の高速で効果的な処理を保証する仕分け機を提案することである。追加の目的は、広範囲の郵便物を処理する一方で、そのような郵便物の機械的完全性も保証するのに適したそのような仕分け機を提案することである。
【課題を解決するための手段】
【００２２】
これらの目的を達成するために、本発明は、郵便物を縁を揃えて置くのに適したアンスタッカと、前記郵便物の宛先を認識する宛先認識手段と、郵便物を挟むことによって搬送するための搬送ゾーンであって、アンスタッカから延びる取り出しゾーン、およびアンスタッカに隣接する上流側仕分け出口から下流側仕分け出口まで分散された複数の仕分け出口を有する仕分けゾーンから構成される、搬送ゾーンとを備える郵便物仕分け機であって、前記機械が、さらに、下流側仕分け出口と上流側仕分け出口を相互接続する再循環ゾーンであって、取り出しゾーンと共働してアンスタッカと上流側仕分け出口との間に位置する合流点を画定する、再循環ゾーンを備え、前記機械が、さらに、第１に、アンスタッカと合流点の間を進行する「取り出された」郵便物の移動、および第２に、再循環ゾーン内で進行する「再循環された」郵便物の移動を同期化するのに適した同期化手段であって、少なくとも１つの再循環された郵便物の存在を検出する検出手段と、検出手段によって伝達された情報に応答してアンスタッカを作動するのに適した制御手段とを備える、同期化手段を備えることを特徴とする、郵便物仕分け機を提供する。
【００２３】
本発明の基本的な考えは、出口が装備された仕分けゾーンを、遅延ラインとして用いることである。これらの条件下では、これは、オンライン解決策のように遅延ライン特有のセグメントを使用することを回避する。加えて、本発明は、「オフライン」解決策のような、未認識用出口特有の仕分け出口のいかなるものも必要としない。
【００２４】
郵便物の性質そのものを考慮して、ほとんどの郵便物は、仕分けゾーンを通るその第１のパスの開始時に正しく認識されることを突き止めていることが本出願人の功績である。そのような条件下では、ごくわずかな郵便物しか再循環ゾーン内に送り出されず、これは、機械の動作上の仕分け能力に不利益をもたらさない。
【００２５】
搬送ゾーンは、上記で述べられた再循環ゾーンの存在により、こうしてループを形成する。したがって、これにより、認識されなかった郵便物を仕分けゾーンの上流側に直接方向付けることが可能になり、それによってこれらに損傷を与え得る動作を回避する。
【００２６】
ループに沿った郵便物のこの経路はまた、その郵便物の認識に関連するものとは別に他の利点も提供する。例として、たとえば仕分け出口が満杯である場合、これが利用できないと仮定すると、仕分け出口に理論上方向付けられるべき郵便物は、仕分け出口が再度利用可能になるまでループに沿って進行する。
【００２７】
加えて、時に、郵便物を特定の順序で仕分け出口において取り出すことが望ましいことが起こるが、前記順序はアンスタッカから上流側では正しく順序付けされないことがある。そのような場合、ごくわずかな郵便物だけが第１のパス中に引き出され、郵便物の残りは、その順序の状態に適合させるためにループに沿って少なくとも１回進行させられる。
【００２８】
最後に、仕分け動作中、特定の郵便物の形跡が失われることが起こり得る、すなわちこれらが取得問題を被っていた可能性がある場合がある。そのような条件下では、これらの郵便物は、このとき、カメラを再度通り過ぎるようにして再循環される。
【００２９】
本発明の仕分け機は、有利には、以下の特徴を有することができる：
少なくとも１つの再循環された郵便物の存在を検出する検出手段は、再循環ゾーン内に配設された２つの存在センサを備え、
アンスタッカには、２つの連続する郵便物間の空隙を変更するのに適したキャッチアップシステムが設けられ、
同期化手段は、さらに、再循環ゾーン内および随意により仕分けゾーン内で進行する少なくとも１つの郵便物の速度を変更する速度変更手段を備え、
速度変更手段は、再循環ゾーン内に置かれた少なくとも第１の速度変更部材、および随意により、仕分け出口の２つの組間の仕分けゾーン内に置かれた第２の速度変更部材を備え、
第１の速度変更部材は、下流側の存在センサと合流点の間に置かれ、
仕分けゾーンは、Ｕターン部によって相互接続された２つの真っすぐな枝部を有し、
仕分けゾーンは、４０メートル（ｍ）を超える長さと、１００を超える複数の仕分け出口とを有し、
再循環ゾーンの近傍では、搬送ゾーンは、２．５ｍを下回る長さを有するＵターン部を実質的に形成し、
仕分けゾーンの長さと再循環ゾーンの長さの間の比は、１を大きく上回り、特に１０を上回り、より具体的には２０を上回る。
【００３０】
本発明はまた、上記の仕分け機を用いる方法であって、郵便物がアンスタッカを用いて取り出され、認識手段が、前記郵便物の宛先を認識するようにして使用され、宛先が正しく認識された郵便物の少なくとも一部は、対応する仕分け出口に向かって方向付けられ、少なくとも、宛先が正しく認識されなかった郵便物は、再循環ゾーン内を進行させられ、それにより、仕分けゾーン内に送り戻される、方法も提供する。
【００３１】
本発明の方法は、有利には、以下の特徴を有することができる：
少なくとも１つの再循環された郵便物の存在が、検出手段によって検出され、制御手段を用いることによって、取り出された郵便物および再循環された郵便物のそれぞれの移動を同期化するようにスタッカを動作させられ、
郵便物は、一定の空隙を有して取り出され、取り出しは、少なくとも１つの再循環された郵便物が２つの存在センサの少なくとも１つを覆う限り停止され、
キャッチアップシステムが設けられたアンスタッカが使用され、２つの存在センサが、距離
Ｄ’（１−２）＝（２×Ｇｎ＋Ｌｍａｘ−Δｄ）を置いて離間され、
式中、Ｇｎは２つの郵便物の間の公称空隙に相当し、Ｌｍａｘは、郵便物の最大長さに相当し、Δｄは、第１に、アンスタッカにおいて停止された郵便物を再開始するのにかかる時間の間、搬送速度で進行する再循環された郵便物によって進められる距離と、第２に、アンスタッカにおいて停止された郵便物を再開始するための距離との間の差であり、
下流側の取り出された郵便物の後縁と上流側の再循環された郵便物の前縁との間の空隙が特定され、特定された空隙が理論上の最小空隙を上回る場合、中間の取り出された郵便物が、前記下流側の取り出された郵便物と前記上流側の再循環された郵便物との間に間置され、
再循環された郵便物は、２つの上流側の取り出された郵便物と下流側の取り出された郵便物との間に間置され、速度変更手段は、再循環された郵便物を加速させるために使用され、それにより、再循環された郵便物は、理論上の最小空隙にできるだけ近い空隙だけ下流側郵便物から離され、キャッチアップシステムが、上流側郵便物が、理論上の最小空隙にできるだけ近い空隙だけ再循環された郵便物から離されるように使用され、
キャッチアップシステムが設けられたアンスタッカが使用され、下流側の取り出された郵便物の後縁と上流側の再循環された郵便物の前縁との間の実際の空隙が特定され、中間の取り出された郵便物を間置することを可能にする理論上の最小空隙が決定され、前記実際の空隙と前記最小の空隙との間の前縁の前進が特定され、前記前進が、速度変更手段によって許容される最大遅延値を下回る場合、中間の取り出された郵便物は、前記下流側の取り出された郵便物と前記上流側の再循環された郵便物との間に間置され、このとき速度変更手段は、前記再循環された郵便物を、その前縁の前進に相当する値だけ遅延させるために使用され、
理論上の最小空隙は、
ｄｓ（１-３）＝Ｌ２+Ｇｍｉｎ（１−２）＋Ｇｍｉｎ（２−３）に相当し、
式中、
Ｌ２は中間郵便物の長さであり、
Ｇｍｉｎ（１−２）およびＧｍｉｎ（２−３）は、第１に、下流側の郵便物の後縁と中間郵便物の前縁との間、および第２に、中間郵便物の後縁と上流側郵便物の前縁との間に適合される最小空隙であり、
速度変更手段は、再循環された郵便物を低速にするためのみに使用され、２つの存在センサが、距離
Ｄ’（１−２）＝（２×Ｇｎ＋Ｌｍａｘ−Δｄ−Ｄｒｅｔ）を置いて離間され、
式中、
Ｇｎは２つの郵便物間の公称空隙に相当し、
Ｌｍａｘは、郵便物の最大長さに相当し、
Δｄは、第１に、アンスタッカにおいて停止された郵便物を再開始するのにかかる時間の間、搬送速度で進行する再循環された郵便物によって進められる距離と、第２に、アンスタッカにおいて停止された郵便物を再開始するための距離との間の差であり、Ｄｒｅｔは、速度変更手段によって許容される最大遅延距離であり、
第２の速度変更手段から上流側では、再循環ゾーンを通り抜けるべき２つの連続する郵便物が特定され、２つの連続する郵便物に隣接する少なくとも１つの隣接する郵便物が、すでに取り出されたとき、第２の速度変更部材が、２つの連続する郵便物を離間させるために使用される。
【００３２】
本発明は、単に非限定的な例として与えられた添付の図を参照して以下でより詳細に説明される。
【図面の簡単な説明】
【００３３】
【図１】本発明の郵便物仕分け機のきわめて概略的な平面図である。
【図２】図１に示される郵便物仕分け機の一部分の、拡大された概略図である。
【図３】本発明の郵便物仕分け機の第１の変形形態の、図２に類似する概略図である。
【図４】図３の仕分け機に属するアンスタッカの拡大された側面図である。
【図５】図３および図４の仕分け機の使用の概略図である。
【図６】図３および図４の仕分け機の使用の概略図である。
【図７】本発明の郵便物仕分け機の第２の実施形態の、図２に類似する概略図である。
【図８】図７の仕分け機の使用を示す概略図である。
【図９】図７の仕分け機の使用を示す概略図である。
【図１０】図７の仕分け機の使用を示す概略図である。
【図１１】図７の仕分け機の使用を示す概略図である。
【発明を実施するための形態】
【００３４】
図１は、郵便物を仕分けするための郵便物仕分け機を示しており、この機械は概略的に示されている。この機械には、前記郵便物を特に通常のベルトを用いて挟むことによって搬送するためのさまざまな部材が装備される。上記で述べられたように、本発明は、箱タイプまたは類似のタイプの搬送装置手段には適用されない。
【００３５】
仕分け機は、取り出しゾーン１と、合流点Ｃと、上流側中間ゾーン２と、仕分けゾーン３と、再循環ゾーン４とを含む。郵便物によってたどられる経路は、図１において矢印Ｆによって示される。
【００３６】
合流点Ｃから上流側に位置する取り出しゾーンと、合流点Ｃと仕分けゾーンの第１の出口Ｓ１との間に位置する中間ゾーンは、従来タイプのものである。特に、取り出しゾーンには、任意の適切なタイプのアンスタッカ１０が装備される。
【００３７】
加えて、これらのゾーンの一方または他方には、本発明の文脈では必須である、カメラタイプの、画像取得装置２０の中からさまざまな機器が設けられる。図示されない特定の他の機器は、随意によるものであり、すなわち、とりわけ多重送り検出器、厚さ測定装置、強張り検出器、強張りすぎる郵便物を拒絶するための装置、バーコード読み取り装置、または実際の印刷装置である。
【００３８】
構造上、アンスタッカ１０は、取り出しゾーン１内に位置することに留意されたい。その一方で、上記で述べられた他の機器、特にカメラ２０は、合流点Ｃから上流側または下流側に置かれてよい。
【００３９】
例として、カメラ２０を合流点Ｃの前の取り出しゾーン１内に置くことは、全体的なコンパクト性に関して有利である。一方でカメラ２０を、合流点Ｃの後の中間ゾーン２内に置くことにより、再循環された郵便物がカメラを通り過ぎて戻ることが可能になり、それによって、情報を追加取得する可能性が提供される。
【００４０】
通常の方法では、取得カメラ２０は、概略的に示されている評価手段２５に関連付けられる。２０および２５の組み合わせは、その通常の意味における宛先認識手段を形成する。
【００４１】
非限定的な方法では、取り出しゾーン１の、アンスタッカ１０の出口と点Ｃの間の長さＬ１は、有利には、再循環ゾーン４の長さを下回るものである。加えて、中間ゾーン２の、点Ｃと第１の仕分け出口Ｓ１との間の長さＬ２により、有利には、画像取得が合流点Ｃの後に位置しているときであっても、ＯＣＲタイプの応答を与えることが可能になる。そうでなければ、第１の出口は使用不可能になり得る。これらの条件下で、この長さは、有利には４ｍを上回る最小値、すなわち最大搬送速度において少なくとも１秒の通過時間を有する。
【００４２】
ほぼＵ字形である仕分けゾーン３は、２本の真っすぐな枝部３１および３３と、Ｕターン部３２とから構成される。枝部３１には、仕分け出口Ｓ１からＳＭの第１の組が装備され、枝部３２には、仕分け出口ＳＭ＋１からＳＮの第２の組が装備され、これら出口のすべては、従来タイプのものである。
【００４３】
総数Ｎが有利には４０を上回る出口が、２つの組間にほぼ同一に分散される。参照Ｌ３１およびＬ３３は、出口Ｓ１とＳＭの間、およびＳＭ＋１とＳＮの間のそれぞれの各枝部の長さを示しており、Ｌ３２は、Ｕターン部３２の長さを示している。長さＬ３１、Ｌ３２、およびＬ３３の合計に相当する長さを有する仕分けゾーンの全長Ｌ３は、有利には、４０ｍを上回るものである。
【００４４】
再循環ゾーン４は、最後の出口ＳＮと合流点Ｃの間を延びる。これは、仕分けゾーンの全長Ｌ３を非常に大きく下回る長さＬ４を有する。したがって、Ｌ３とＬ４の間の比は、有利には１０を上回り、特に２０を上回る。このため、機械のごくわずかな部分だけが、郵便物の仕分けに使用されないことを保証することが可能になる。
【００４５】
再循環ゾーン４は、有利には２．５ｍを下回る長さＬ４を有するＵターン部を画定する。図示される例では、このＵターン部は、再循環ゾーンによってすべて形成される。しかしながら、たとえばアンスタッカが図示されるものとは異なる方向を向くとき、合流点Ｃは、Ｕターン部自体内に、通常はその下流側部分内に位置してもよい。この状況では、搬送手段のこのＵターン部は、このとき再循環ゾーン４および中間ゾーン２の両方によって形成される。
【００４６】
上記において、２つの直線的セグメント３１および３３から、２つのＵターン部３２および４によって構成された搬送装置ループが、説明されている。しかしながら、これらの構成要素の各々が、説明された形状とは異なる形状を有するように施すことが可能である。いずれの場合も、再循環ゾーン４に短い長さを付与するために、第１および第２の仕分け出口Ｓ１およびＳＮを互いに近づけることが有利であることに留意されたい。
【００４７】
上記で説明された郵便物仕分け機の使用は、最初、従来の方法において、郵便物を取り出し、次いでカメラ２０を通過させることを伴う。次いでカメラが、それ自体知られている方法で、各郵便物のデジタル画像を撮り、この画像は、評価手段２５によって、これもまた通常の方法で処理される。これらの動作は、たいていの場合、郵便物が有する宛先を認識することを可能にする。
【００４８】
宛先が正しく認識されると、当該の郵便物は、対応する仕分け出口Ｓ１からＳＮに方向付けられる。宛先が完全に認識され得ないとき、当該の郵便物は、最後の出口ＳＮを超えるように、すなわち再循環ゾーンに沿って合流点Ｃに向かうように搬送装置ループをたどる。
【００４９】
そのような状態下では、取り出しゾーン１内および再循環専用のゾーン４内それぞれを進行する郵便物の移動を同期化することを可能にする手段を設けることが有利であると理解され得る。そのような同期化手段は、第１に、再循環ゾーン４内に、郵便物の存在を検出することを可能にする手段を含む。示された例では、これらの手段は、任意の適切なタイプの２つのセンサＢ１およびＢ２によって構成される。
【００５０】
検出手段は、制御手段１５に関連付けられ、この制御手段は、実施形態のすべてに事前設定されるが図２のみに示されている。これらの制御手段は、上記のセンサＢ１およびＢ２によって送られる情報に応答してアンスタッカ１０の動作を作動するのに適している。最後に、以下でより詳細に説明されるように、有利には、再循環ゾーン内、またはさらには仕分けゾーン内においても郵便物の速度を変更することを可能にする手段を設けることが可能である。
【００５１】
通常の方法では、本発明は、郵便物が再循環ゾーン内で検出されると、取り出しを低速にするように、さらには停止させるように施す。この動作は、前記郵便物の速度を変更することによって、たいていはこれにブレーキをかけることによって完了され得る。次いで、これは、再循環された郵便物を、アンスタッカから来る２つの郵便物の間に適切な方法で間置することを可能にする。
【００５２】
従来のアンスタッカの第１のタイプ、たとえば本出願人のＳＴＡＲ仕分け機に装備するアンスタッカなどが使用されることが最初に仮定される。このアンスタッカは、郵便物を一定の空隙を有して、すなわち下流側郵便物の後縁と上流側郵便物の前縁との間に一定の距離を有して取り出すのに適する。しかしながら、前記アンスタッカは、取り出された郵便物の速度プロファイルを変更することはできない。
【００５３】
この状況では、２つの検出センサＢ１およびＢ２は、距離Ｄ、
Ｄ（１−２）＝２×Ｇｎ＋Ｌｍａｘ＋Ｖｃ×ｔ０を置いて離間される。
式中、
Ｇｎは、２つの郵便物が搬送される間のこれらの間の公称空隙に相当する。先験的に設定されるこの値は、通常、書簡については９５ｍｍ、大判扁平郵便物については１５５ｍｍである。機械がさまざまなタイプの郵便物を処理するように設計されているとき、より高い値が選択される。
Ｌｍａｘは、郵便物の最大長さに相当する。この所定値は、たとえば大判扁平郵便物については３２８ｍｍである。
Ｖｃは、公称搬送速度である。
ｔ０は、取り出しを一時停止する合計時間に相当する。
【００５４】
加えて、上流側センサＢ１は、合流点Ｃから、距離
Ｄ１＝Ｄ１０＋Ｖｃ×ｔ０を置いて離間され、式中、Ｄは、Ｃとアンスタッカの出口との間の距離である。
【００５５】
稼動中、上流側検出器Ｂ１は、郵便物の到着を検出したとき、ライン１６を介して信号を制御手段１５に方向付け、制御手段は、次にアンスタッカ１０を作動する。アンスタッカは、取り出される郵便物の取り出しを終了し、次いで取り出しは一時停止される。
【００５６】
次いで、郵便物が２つのセルの間に存在する限り、または郵便物が前記セルのうち一方を覆っている限り、アンスタッカは一時停止状態に維持される。次いで、最後の郵便物の後縁が下流側センサＢ２を通り過ぎると、前記下流側センサは、ライン１７を介して対応する信号を制御手段１５に送り、この制御手段は取り出しの復帰を開始する。
【００５７】
図３から図６を参照して示される第２の実施形態では、従来タイプのものであるが、上記で説明されたアンスタッカに比べて付加的な機能特徴を有する別のアンスタッカ１１０が使用される。たとえば、仏国特許第２７９７４３７号明細書の教示に適合するこの第２のアンスタッカには、２つの連続する取り出された郵便物間の空隙を変更するのに適した、図４に概略図で示されたキャッチアップシステム１１２が設けられる。
【００５８】
この目的を達成するために、そのようなアンスタッカには、可変の回転速度を有するローラ１１３の少なくとも１つの組が装備される。最も上流側の組のローラによって画定された郵便物の通路ゾーンは、「挟み点」１１４と称される。
【００５９】
このアンスタッカは、こうして、監視−および−制御手段からの指示のもとで取り出しを瞬時に停止させ、次いで、追加の指示後に復帰することができる。この装置の利点は、上記で提示された第１のタイプのアンスタッカと比較して、取り出しが中断される時間を短縮することを可能にすることである。
【００６０】
Ｂ１１と示された追加のセンサが、挟み点１１４と位置合わせして置かれる。取り出されている郵便物の長さおよび厚さは、前記郵便物がＢ１１に到達したときに知られることに留意されたい。加えて、前記郵便物は、Ｂ１１を覆ってしまえば、停止させることができない。
【００６１】
加えて、公称動作状態下では、Ｂ１１が郵便物によって覆われている段階の持続時間、すなわち、郵便物がＢ１１を完全に通り過ぎるのにかかる時間は、予想可能であり、制御される。これは、搬送速度および当該の郵便物の長さによってのみ決まる。前縁がＢ１１と位置合わせして到着すると、郵便物は、前記搬送速度で移動されることに留意されたい。
【００６２】
最後に、郵便物を停止させるか否かの決定は、この前縁がＢ１１と位置合わせしたときに行われる。停止は、所定の速度プロファイルに応じて実施され、郵便物のすべてに同一の停止距離を付与することを可能にする。加えて、再開始は、これもまた所定の速度プロファイルに応じて実施され、郵便物のすべてを、事前に設定された距離の最後に、および時間長さの最後に搬送速度にもっていくことを可能にする。停止パラメータおよび再開パラメータは、仕分け機の所与の順序に関しては不変のものであるが、これらは、順序毎に変更されてもよいことに留意されたい。
【００６３】
さまざまな動作パラメータが、アンスタッカ１１０を拡大して示す図４を参照して以下に挙げられる：
Ｄａは、郵便物を停止させるのに必要な、その前縁がＢ１１を通り過ぎた瞬間からの停止距離である。
Ａは、前記郵便物が停止する停止点である。
Ｄｒは、郵便物をその搬送速度にもっていくのに必要な、これが点Ａで停止された瞬間からの再開距離である。
Ｔｒは、郵便物をその搬送速度にもっていくのに必要な、これが点Ａで停止された瞬間からの再開時間である。
Ｒは、郵便物がこの公称速度に復帰する点である。
Δｄは、第１に、搬送速度で進行する再循環された郵便物が、時間長さＴｒ中に進行する距離と、第２に、再開距離Ｄｒとの間の差である。換言すれば、
Δｄ＝Ｄｒ−（Ｖｃ×Ｔｒ）である。
【００６４】
図３および図５を参照すれば、２つのセルＢ１およびＢ２は、点Ｃに対するそれぞれの距離Ｄ´１およびＤ´２、すなわちＤ´１＝Ｄ１１＋Ｌｍａｘ＋ＧｎおよびＤ´２＝Ｄ１１−Ｇｎ−Δｄのところに置かれ、式中、Ｄ１１は、Ｂ１１とＣの間の距離に相当する。したがって、２つのセル間の距離は、Ｄ´（１−２）＝（２×Ｇｎ＋Ｌｍａｘ−Δｄ）となり、これは、第１の実施形態よりかなり短いものであることが留意され得る。
【００６５】
次いで、２つの郵便物Ｅ１およびＥ２が取り出されており、その間再循環された郵便物Ｅ３はゾーン４内にあると仮定される。第１の状況が図５に示されており、この図では、明確にするために、再循環ゾーン４は、取り出しゾーン１の上方に直線的に示されている。
【００６６】
この状況では、郵便物Ｅ２は、セルＢ１１をすでに覆っており、一方で再循環されたＥ３の前縁は、セルＢ１と位置合わせして到着している。Ｅ２を取り出す駆動は、このとき変更されず、それにより、Ｅ２は、Ｅ１とＥ３の間に間置されるために、通常は合流点Ｃに向かって方向付けられる。
【００６７】
図６に示される第２の状況では、郵便物Ｅ２は、まだセルＢ１１の上流側にあり、一方で再循環された郵便物Ｅ３の前縁は、セルＢ１と位置合わせして到着している。次いで、Ｅ２をＥ１とＥ３の間に間置することが可能でないと仮定されることがある場合でも、これは、特定の条件下で可能にされ得る。
【００６８】
例として、Ｅ１とＥ３の間に存在する空間は、
【数１】
2013534183.tif 000003
の場合に潜在的に十分となり、
これを条件（Ｉ）として、式中、
ｄ（１−３）は、Ｅ１とＥ３の間の実際の空隙、すなわちＥ１の後縁ＡＲ１とＥ３の前縁ＡＶ３との間の距離であり、
ｄｓ（１−３）は、前記空隙の閾値を示し、図６では、ｄ（１−３）はｄｓ（１−３）に等しく示されており、
Ｌ２は、郵便物Ｅ２の長さであり、
Ｇｍｉｎ（１−２）およびＧｍｉｎ（２−３）は、第１にＥ１の後縁とＥ２の前縁との間、第２にＥ２の後縁とＥ３の前縁との間に適合される最小空隙である。これらの空隙は、仕分けゾーン内で前後に置かれた郵便物に関して理解されるものである。
【００６９】
Ｇｍｉｎの値は、初期設定では、Ｇｎと等しくなるように取られ得る。しかしながら、仕分け順序の生産性を増大させるために、Ｇｎを下回るＧｍｉｎの値を選択することが可能である。当業者は、特に、以下のパラメータに応じて、Ｇｍｉｎに対して任意の適切な値を指定することができる：
隣接する郵便物、Ｅ１およびＥ２、またはさらにはＥ２およびＥ３の対の長さおよび厚さ、
仕分けゾーンに沿って進行している間に観察される、再循環された郵便物Ｅ３の遅れ、
仕分け出口に到達するためにＥ３によって進められる残りの距離、および
安全マージンを導入することを可能にする任意の係数。
【００７０】
上記の条件（Ｉ）が満たされた場合、次いで、郵便物Ｅ２は、挟み点を介して通常の方法で、すなわち停止することなく投入される。前記状態（Ｉ）が満たされない場合、前記郵便物Ｅ２は、第１の実施形態でのように、再循環された郵便物Ｅ３の後縁がセルＢ２を通り過ぎるまで停止される。
【００７１】
第３の実施形態では、少なくとも１つの空隙管理装置（ＧＭＤ）が使用され、この装置は、再循環ゾーン内で、またはさらには仕分けゾーン内の上流側で郵便物の速度を変更するのに適するものである。たとえば、そのような装置は、本出願人のＳＴＡＲ仕分け機に装備する。好ましい方法では、これは、すぐ上で説明された第２の実施形態において使用されるシステム１１０などの、キャッチアップシステムが設けられたアンスタッカに関連付けられる。
【００７２】
ＧＭＤ１で示され、便宜上以下では「ＧＭＤ１」と称される第１の空隙管理装置は、再循環ゾーン４内の、下流側検出セルＢ２と合流点Ｃの間に置かれる。ＧＭＤ１は、とりわけ、２つの追加セルＢ３およびＢ４によって制御される。これらのうち一方（Ｂ３）は、再循環ゾーン内の、セルＢ２とＧＭＤ１自体の間に配設され、他方のＢ４は、取り出しゾーン内に設けられる。これらの２つのセルＢ３およびＢ４は、合流点Ｃから等しい位置にあり、すなわち図７の距離Ｄ３およびＤ４は同一である。
【００７３】
図８および図９を参照すれば、第１のタイプのＧＭＤ１の使用が以下で説明され、このＧＭＤ１の使用は、再循環された郵便物を減速させかつ加速させるのに適している。そのような状況では、セルＢ１とＢ２の間の距離は、上記の第２の実施形態の距離、すなわち（２×Ｇｎ＋Ｌｍａｘ−Δｄ）と同一である。別の実施形態では、この距離が低減されてもよいことが以下で説明される。
【００７４】
図８および図９は、２つの取り出された郵便物Ｅ１およびＥ２ならびに再循環された郵便物Ｅ３の進捗を示している。Ｅ２とＥ３の間の位相オフセットに応じて、最初に、どちらの郵便物を他方の郵便物より前に、合流点Ｃに向けて方向付けるべきかを選択することが必要である。
【００７５】
図８では、再循環されたＥ３は、Ｅ２に比べてかなり遅延され、それにより、Ｅ２をＥ１とＥ３の間に間置できることが適切であるように考えられる。第２の実施形態のように、これは、条件（Ｉ）が満たされる場合、すなわち
【数２】
2013534183.tif 000004
である場合に可能であることが知られている。
【００７６】
ＧＭＤの使用により、適切な場合、前記条件（Ｉ）が満たされない場合であってもＥ３を間置することが可能になる。ＧＭＤは、郵便物を減速させることによって、ＧＭＤがこれに付与することができる最大遅延に相当する特徴的距離Ｄｒｅｔを有する。例として、このとき、
【数３】
2013534183.tif 000005
と記載され得る条件（Ｉの２）が考慮される。
【００７７】
図８では、ＡＲ１は、Ｅ１の後縁の位置を示しており、ＡＶ３は、Ｅ３の前縁の実際の位置を示しており、ＡＶ´３は、条件（Ｉの２）を満たすための前記前縁の理論上の位置を示しており、δは、前記理論上の位置に対するＥ３の後縁の前進を示している。δがＤｒｅｔを下回る場合、次いで、ＧＭＤはＥ３がＡＶ´３上に再配置され得るような値だけ、郵便物Ｅ３を遅延させることができることが知られている。このとき、Ｅ１とＥ３の間には、Ｅ２を間置することを可能するのに十分な空間が存在しており、それにより、前記郵便物Ｅ２の正常な投入が認められる。
【００７８】
このとき、Ｅ３は、再循環ゾーンに沿って進捗する間、距離δだけ遅延され、それにより、その前縁が、空隙Ｇｍｉｎ（２−３）だけＥ２の後縁から離間される。さらには、Ｇｍｉｎ（２−３）は、可能な限り、Ｇｎになる方向に向けられる。この遅延は、セルＢ３およびＢ４を用いることによって従来の方法で使用される。
【００７９】
それとは反対に、δがＤｒｅｔを上回るとき、郵便物Ｅ２は、Ｅ３がセルＢ２を覆わなくなるまで停止される。
【００８０】
図９に示されるように、再循環された郵便物Ｅ３は、Ｅ１に対して比較的小さい距離だけ遅延され、それにより、Ｅ３をＥ１とＥ２の間に間置することが適切であるように考えられることが分かり得る。また、この状況に適用された条件（Ｉ）、すなわち
【００８１】
【数４】
2013534183.tif 000006
が満たされなければならないことも知られており、
式中、
ｄ（１−２）は、Ｅ１とＥ２の間の空隙、すなわちＥ１の後縁と前縁Ｅ２の間の距離であり、
Ｌ３は、郵便物Ｅ３の長さであり、
Ｇｍｉｎ（１−３）およびＧｍｉｎ（３−２）は、第１にＥ１の後縁とＥ３の前縁との間、および第２にＥ３の後縁とＥ２の前縁との間に適合される最小空隙である。上記のように、Ｇｍ（１−３）およびＧｍｉｎ（３−２）は、可能な限り、Ｇｎになる方向に向けられる。
【００８２】
図９では、ＡＲ１は、Ｅ１の後縁の位置を示しており、ＡＶ３は、Ｅ３の前縁の実際の位置を示しており、ＡＶ´３は、最少空隙Ｇｍｉｎ（１−３）に適合するための前記前縁の理論上の位置を示しており、δ´は、前記理論上の位置に対するＥ３の前縁の遅延を示している。
【００８３】
ＧＭＤのユーザは、Ｅ３をこの理論上の位置のできるだけ近くにもっていくためにこれを前進させるこができ、これは、生産性に関して有利である。ＧＭＤは、郵便物を加速させることによって、ＧＭＤがこれに付与することができる最大前進に相当する別の特徴的距離Ｄａｖを有することが知られている。
【００８４】
これらの条件下では、δ´がＤａｖを下回る場合、Ｅ３は、最少空隙Ｇｍｉｎ（１−３）に適合するためにＥ１のできるだけ近くに配置されるように加速される。それとは反対に、δ´がＤａｖを上回る場合、Ｅ３は、前記上記で述べられた最大値Ｄａｖのより近くにこれをもっていくように加速されながらも、Ｇｍｉｎ（１−３）を上回る空隙だけＥ１から離されたままである。
【００８５】
加えて、Ｅ３とＥ２の間の最小空隙Ｇｍｉｎ（３−２）は、適合されなければならない。これを達成するために、アンスタッカ１１０のキャッチアップシステム１１２が使用され、それによってＥ２の進捗を遅らせ、これを適切な方法でＥ３から離間する。Ｅ２とＥ３の間の空隙は、Ｅ３の実際の位置を考慮に入れるのではなく、Ｅ３が、上記で説明されたような値δ´またはＤａｖだけ前進された後に占有することになる位置を考慮に入れることによって算出される。
【００８６】
第２のタイプのＧＭＤ１の使用、すなわち「簡略化された使用」は、そのようなＧＭＤの性質そのものに基づく。ＧＭＤは、郵便物に対して加速ではなく減速を施した際、正確性および増幅性に関して極めて高いパフォーマンスを提供することが知られている。
【００８７】
これらの条件下では、ＧＭＤ１は、減速モードでのみ使用され、それによってセルＢ１を合流点により近づけて、距離Ｄｒｅｔで置くことを可能にする。その結果、２つのセル間の距離は、このときＤ´´（１−２）＝（２×Ｇｎ＋Ｌｍａｘ−Δｄ−Ｄｒｅｔ）の通りになるので、この距離はさらに低減される。この第２のタイプの使用（図には示されない）は、図８に示されるその「減速」バージョンの第１の形態と同じようにして実施される。
【００８８】
上記で提示されたさまざまな実施形態の利点が、上記からはっきりと明白になる。
【００８９】
したがって、第１の実施形態は、従来かつロバストなアンスタッカを用いることによって簡単に実施され得る。セルＢ１とＢ２の間の距離Ｄ（１−２）は、このとき通常１３９３ｍｍであり、この場合Ｇｎ＝１５５ｍｍ、Ｌｍａｘ＝３２８ｍｍ、Ｖｃ＝３．５メートル／秒（ｍ／ｓ）、およびｔ０＝０．２１５秒である。この距離Ｄは重要であり、その理由は、これは取り出しが中断される時間によって決まり、取り出しは、再循環された郵便物がセルの１つを覆っている限り一時停止されるためである。
【００９０】
第２の実施形態は、空隙をキャッチアップする手段が設けられたアンスタッカが、取り出しを一時停止させ、すぐにこれを復帰させるのに適するということを用いることによって、この距離の値を低減することを可能にする。したがって、ＬｍａｘおよびＧｎの同じ値に関しては、距離Ｄ´（１−２）は、６５０ｍｍまで、すなわち第１の実施形態に対して５０％を超える低減値まで低減され得る。そのようなアンスタッカの使用はまた、アンスタッカの第１の実施形態が、特に図６に示された状況などで取り出しの一時停止を必要としていたであろう特定の状況下において、取り出しを停止させないことも可能にする。
【００９１】
第３の実施形態は、再循環された郵便物の位置に追いつくことを可能にし、それによって、特定の状況において取り出しを一時停止させることを回避する。例として、再循環された郵便物の位置が、合流点にある隣接する取り出された郵便物に近すぎるようなものである場合、位置のキャッチアップは、再循環された郵便物および取り出された郵便物を合流点の下流側に連続して置くことを可能にする目的で、再循環された郵便物の位置が隣接する郵便物と十分な空隙を有することを確実にする。加えて、逆に、再循環された郵便物および取り出された郵便物が最初に離れ過ぎている場合、生産性の理由で、再循環された郵便物を隣接する取り出された郵便物のより近くにもっていくことを可能にする。
【００９２】
加えて、減速だけが使用される第３の実施形態の変形形態では、２つのセルＢ１およびＢ２を互いに近づけて置くことが可能である。例として、上記のようなＬｍａｘおよびＧｎの同じ値に関しては、距離Ｄ´´（１−２）は、４５０ｍｍまで、すなわち基本値の３分の１未満にされる。
【００９３】
随意により、ＧＭＤ２と示される別のＧＭＤを、仕分け出口の２つの組の間に、すなわちＵターン部３２に置くことが可能であることに留意されたい。より正確には、ＧＭＤ２は、通常、前記Ｕターン部の下流側位置に置かれ、一方でＧＭＤ２を制御するセンサＢ５は、Ｕターン部の上流側位置に配設される。
【００９４】
第２のＧＭＤを用いることは、Ｕターン部において、再循環させる郵便物を特定することを伴う。図１０では、そのような郵便物は、Ｅ´２およびＥ´３であり、これらは、セルＢ５によって測定された公称空隙ＧＮだけ離間されている。
【００９５】
再循環される前記郵便物に隣接する郵便物Ｅ´１およびＥ´４の少なくとも一方が、すでに仕分け出口へと取り出されているとき、Ｅ´２またはＥ´３の速度を変更することが可能である。このため、２つの郵便物間の空隙を増大させながらも、隣接する郵便物との適切な空隙を維持することが可能になる。
【００９６】
図示される例では、Ｅ´４は、仕分け出口の第１の組においてすでに排出されていると仮定され、これが、点線で示されている理由である。次いで、ＧＭＤ２は、Ｅ´３を低速にし、それによってＥ´３をＥ´２から、図１１の二重矢印Ｆによって示されるように離間しながらも、後続の郵便物Ｅ´５を適切な距離を置いて保つ。加えて、Ｅ´１とＥ´２の間の空隙は変更されない。
【図１】
2013534183.tif 000007
【図２】
2013534183.tif 000008
【図３】
2013534183.tif 000009
【図４】
2013534183.tif 000010
【図５】
2013534183.tif 000011
【図６】
2013534183.tif 000012
【図７】
2013534183.tif 000013
【図８】
2013534183.tif 000014
【図９】
2013534183.tif 000015
【図１０】
2013534183.tif 000016
【図１１】
2013534183.tif 000017
【国際調査報告】
2013534183.tif 000018
2013534183.tif 000019
2013534183.tif 000020
2013534183.tif 000021